(57)【要約】【課題】複数の電子マネーにおいて、キャンペーンやタイムサービスといった販売促進時に行う割引販売が行えない。【解決手段】複数の電子マネー毎に割引額を設定できる電子マネー毎割引額設定手段１１と、電子マネー毎割引額設定手段１１にて設定されたデータを記憶する電子マネー毎割引額記憶手段１２と、電子マネー毎割引額設定手段１１と電子マネー毎割引額記憶手段１２に接続された演算制御部２５を備え、商品が選択された場合、電子マネーの決済額を、電子マネー毎割引額記憶手段１２のデータに基づき割引いて、電子マネー処理装置に送信することにより、電子マネー処理装置は割引された販売価格にて決済するので、電子マネーの割引販売を行うことができ、販売促進が行え、また複数のマネー毎に違った割引額を設定できるため、他の電子マネーと差別化ができ、優位性を出すことができる。【選択図】図１
2012018443.tif 000002
【特許請求の範囲】
【請求項１】
自動販売機にて使用できる複数の電子マネー毎に割引額を設定できる電子マネー毎割引額設定手段と、前記電子マネー毎割引額設定手段にて設定されたデータを記憶する電子マネー毎割引額記憶手段と、前記電子マネー毎割引額設定手段と前記電子マネー毎割引額記憶手段に接続された演算制御部を備え、前記演算制御部は、商品が選択された場合、電子マネーの決済額を、前記電子マネー毎割引額記憶手段のデータに基づき割引いて、電子マネー処理装置に送信することを特徴とした自動販売機の制御装置。
【請求項２】
自動販売機にて使用できる複数の電子マネー毎に割引する時間帯を設定できる電子マネー毎割引時間帯設定手段と、前記電子マネー毎割引時間帯設定手段にて設定されたデータを記憶する電子マネー毎割引時間帯記憶手段と、前記電子マネー毎割引時間帯記憶手段にて記憶されているデータに基づき複数の電子マネーの割引を行うかを判定する電子マネー毎割引実施判定手段を備え、前記演算制御部は、商品が選択された場合、前記電子マネー毎割引実施判定手段にて、当該電子マネーを割引くか否かを判定することを特徴とした請求項１に記載の自動販売機の制御装置。
【請求項３】
複数の電子マネーの決済額のうち最低決済額を判定する最低決済額判定手段と、前記最低決済額判定手段にて最低決済額と判定された電子マネーを表示する表示制御手段を備え、前記演算制御部は、商品が選択された場合、前記表示制御手段にて、最低決済額と判定された電子マネーを表示することを特徴とした請求項１または２に記載の自動販売機の制御装置。
【請求項４】
前記最低決済額判定手段にて最低決済額と判定された電子マネーを音声にて知らせる音声制御手段を備え、前記演算制御部は、商品が選択された場合、前記音声制御手段にて、最低決済額と判定された電子マネーを音声にて知らせることを特徴とした請求項３に記載の自動販売機の制御装置。
【請求項５】
前記最低決済額判定手段にて最低決済額と判定された電子マネーを映像にて知らせる映像制御手段を備え、前記演算制御部は、商品が選択された場合、前記映像制御手段にて、最低決済額と判定された電子マネーを映像にて知らせることを特徴とした請求項３に記載の自動販売機の制御装置。
【請求項６】
前記最低決済額判定手段にて最低決済額を判定するか否かを設定する最低決済額判定設定手段と、前記最低決済額判定設定手段にて設定されたデータを記憶する最低決済額判定記憶手段を備え、前記演算制御部は、商品が選択された場合、前記最低決済額判定記憶手段のデータに基づき、最低決済額の判定を行うか否かを判定することを特徴とした請求項３から５のいずれか一項に記載の自動販売機の制御装置。
【発明の詳細な説明】
【技術分野】
【０００１】
本発明は、複数の電子マネーカード等の電子マネー媒体を用いて決済処理を行う自動販売機に関するものである。
【背景技術】
【０００２】
近年、自動販売機に、複数の電子マネーを使用することができる電子マネー処理装置を接続し、複数の電子マネー毎に、個別に各商品の販売価格を設定できるようにしている。商品が選択された場合は、その複数の電子マネー毎に設定された全ての販売価格を、自動販売機が電子マネー処理装置に送信し、電子マネー処理装置は、決済された電子マネーの決済データを自動販売機に送信し、自動販売機はその決済データによって、商品を販売する（例えば、特許文献１参照）。
【先行技術文献】
【特許文献】
【０００３】
【特許文献１】特開２００５−１３５２９７号公報
【発明の概要】
【発明が解決しようとする課題】
【０００４】
しかしながら、上記従来の構成では、キャンペーンやタイムサービスといった販売促進時に行う割引販売が行えないため、他の電子マネーとの差別化がつけにくく、販売促進にならないという課題を有していた。
【０００５】
本発明は、前記従来の課題を解決するもので、複数の電子マネー毎に割引に関するデータ設定を設け、電子マネーにて販売された場合、設定されたデータに基づき電子マネーでの割引を行うことで、販売促進や集客能力を向上させる自動販売機の制御装置を提供することを目的とする。
【課題を解決するための手段】
【０００６】
上記従来の課題を解決するために、本発明の自動販売機の制御装置は、自動販売機にて使用できる複数の電子マネー毎に割引額を設定できる電子マネー毎割引額設定手段と、前記電子マネー毎割引額設定手段にて設定されたデータを記憶する電子マネー毎割引額記憶手段と、前記電子マネー毎割引額設定手段と前記電子マネー毎割引額記憶手段に接続された演算制御部を備え、前記演算制御部は、商品が選択された場合、電子マネーの決済額を、前記電子マネー毎割引額記憶手段のデータに基づき割引いて、電子マネー処理装置に送信するものである。
【０００７】
これによって、電子マネー処理装置は、割引された販売価格にて決済するので、電子マネーの割引販売を行うことができ、販売促進が行え、また複数のマネー毎に違った割引額を設定できるため、他の電子マネーと差別化ができ、優位性を出すことができる。
【発明の効果】
【０００８】
本発明の自動販売機の制御装置は、複数の電子マネー毎に割引に関するデータ設定を設け、電子マネーにて販売された場合、設定されたデータに基づき電子マネーでの割引を行うことができるので、販売促進や集客能力を向上させる自動販売機の制御装置を提供することができる。
【図面の簡単な説明】
【０００９】
【図１】本発明による自動販売機の制御装置の実施の形態１のブロック図
【図２】同実施の形態の自動販売機の制御装置の動作を示すフローチャート
【発明を実施するための形態】
【００１０】
請求項１に記載の発明は、自動販売機にて使用できる複数の電子マネー毎に割引額を設定できる電子マネー毎割引額設定手段と、前記電子マネー毎割引額設定手段にて設定されたデータを記憶する電子マネー毎割引額記憶手段と、前記電子マネー毎割引額設定手段と前記電子マネー毎割引額記憶手段に接続された演算制御部を備え、前記演算制御部は、商品が選択された場合、電子マネーの決済額を、前記電子マネー毎割引額記憶手段のデータに基づき割引いて、電子マネー処理装置に送信することにより、電子マネー処理装置は、割引された販売価格にて決済するので、電子マネーの割引販売を行うことができ、販売促進が行え、また複数のマネー毎に違った割引額を設定できるため、他の電子マネーと差別化ができ、優位性を出すことができる。
【００１１】
請求項２に記載の発明は、請求項１に記載の発明において、自動販売機にて使用できる複数の電子マネー毎に割引する時間帯を設定できる電子マネー毎割引時間帯設定手段と、前記電子マネー毎割引時間帯設定手段にて設定されたデータを記憶する電子マネー毎割引時間帯記憶手段と、前記電子マネー毎割引時間帯記憶手段にて記憶されているデータに基づき複数の電子マネーの割引を行うかを判定する電子マネー毎割引実施判定手段を備え、前記演算制御部は、商品が選択された場合、前記電子マネー毎割引実施判定手段にて、当該電子マネーを割引くか否かを判定することにより、キャンペーンやタイムサービスといった期間や時間にて割引を行うことができ、多様な販売促進や顧客へのアピールが行え、また複数のマネー毎に違った割引時間を設定できるため、他の電子マネーのキャンペーン等と重複を回避でき、差別化を図りやすくなる。
【００１２】
請求項３に記載の発明は、請求項１または２に記載の発明において、複数の電子マネーの決済額のうち最低決済額を判定する最低決済額判定手段と、前記最低決済額判定手段にて最低決済額と判定された電子マネーを表示する表示制御手段を備え、前記演算制御部は、商品が選択された場合、前記表示制御手段にて、最低決済額と判定された電子マネーを表示することにより、複数の電子マネーにて割引が実施されている場合に、一番安く買える電子マネーを顧客に知らしめることができるので、顧客に利便性やお得感をもたらせ、好印象を与えることができる。
【００１３】
請求項４に記載の発明は、請求項３に記載の発明において、前記最低決済額判定手段にて最低決済額と判定された電子マネーを音声にて知らせる音声制御手段を備え、前記演算制御部は、商品が選択された場合、前記音声制御手段にて、最低決済額と判定された電子マネーを音声にて知らせることにより、一番安く買える電子マネーを音声にて案内することができるので、顧客に一番安く買える電子マネーをよりはっきりと知らしめることができ、顧客の利便性を向上することができる。
【００１４】
請求項５に記載の発明は、請求項３に記載の発明において、前記最低決済額判定手段にて最低決済額と判定された電子マネーを映像にて知らせる映像制御手段を備え、前記演算制御部は、商品が選択された場合、前記映像制御手段にて、最低決済額と判定された電子マネーを映像にて知らせることにより、一番安く買える電子マネーを映像にて案内することができるので、顧客に一番安く買える電子マネーを、さらによりはっきりと知らしめることができ、顧客の利便性を向上することができる。
【００１５】
請求項６に記載の発明は、請求項３から５のいずれか一項に記載の発明において、前記最低決済額判定手段にて最低決済額を判定するか否かを設定する最低決済額判定設定手段と、前記最低決済額判定設定手段にて設定されたデータを記憶する最低決済額判定記憶手段を備え、前記演算制御部は、商品が選択された場合、前記最低決済額判定記憶手段のデータに基づき、最低決済額の判定を行うか否かを判定することによって、一番安く買える電子マネーを知らしめるか否かを、ロケーションに応じて選択することができるので、一番安く買えないが、優先して使用を促したい電子マネーがあるようなロケーションでは、他の電子マネーを表示させないことで、ロケーションに応じた販売促進ができる。
【００１６】
以下、本発明の実施の形態について、図面を参照しながら説明する。なお、この実施の形態によってこの発明が限定されるものではない。
【００１７】
（実施の形態１）
図１は本発明の実施の形態１による自動販売機の制御装置の機能ブロック図である。図２は、同実施の形態の動作を示すフローチャートである。
【００１８】
図１において、電子マネー毎割引額設定手段１１は、操作手段にて、自動販売機にて使用できる複数の電子マネー毎に割引額を設定できる。尚、操作手段にはリモコン、スイッチ等などが挙げられる。電子マネー毎割引額記憶手段１２は、電子マネー毎割引額設定手段１１にて設定されたデータを記憶する。
【００１９】
電子マネー毎割引時間帯設定手段１３は、操作手段にて、自動販売機にて使用できる複数の電子マネー毎に割引する時間帯を設定できる。尚、操作手段にはリモコン、スイッチ等などが挙げられる。また、割引する時間帯は、年月日、時分、等にて指定ができる。電子マネー毎割引時間帯記憶手段１４は、電子マネー毎割引時間帯設定手段１３にて設定されたデータを記憶する。
【００２０】
電子マネー毎割引実施判定手段１５は、電子マネー毎割引額記憶手段１２と電子マネー毎割引時間帯記憶手段１４に記憶されているデータに基づき、電子マネー毎に割引を実施するか否かを判定する。
【００２１】
電子マネー毎販売価格記憶手段１６は、各商品における自動販売機にて使用できる複数の電子マネー毎の販売価格を記憶する。
【００２２】
最低決済額判定手段１７は、電子マネー毎割引実施判定手段１５にて割引を実施すると判定した場合、電子マネー毎販売価格記憶手段１６に記憶している販売価格から電子マネー毎割引額記憶手段１２に記憶している割引額を各マネー毎に減算したものを決済額とし、そのなかから一番安い決済額を判定する。
【００２３】
表示制御手段１８は、最低決済額判定手段１７にて一番安い決済額と判定された電子マネーを、表示手段等に表示する。尚、表示手段には７セグメント、ＬＣＤ、電子マネー選択ボタンに付属しているＬＥＤ等が挙げられる。
【００２４】
音声制御手段１９は、最低決済額判定手段１７にて一番安い決済額と判定された電子マネーを、音声発生手段等にて音声として出力する。尚、音声発生手段には、スピーカー等が挙げられる。尚、音声には、「○○マネーがお買い得です」「○○マネーが△△円、お安くなります」等が挙げられる。
【００２５】
映像制御手段２０は、最低決済額判定手段１７にて一番安い決済額と判定された電子マネーを、映像手段等にて映像として出力する。尚、映像手段には、液晶テレビ、プロジェクター等が挙げられる。尚、映像には、該当する電子マネーを示すものや、購入の仕方を示すもの等が挙げられる。
【００２６】
最低決済額判定設定手段２１は、操作手段にて、最低決済額判定手段１７にて一番安い決済額を判定するか否かを設定できる。尚、操作手段にはリモコン、スイッチ等などが挙げられる。最低決済額判定記憶手段２２は、最低決済額判定設定手段２１にて設定されたデータを記憶する。
【００２７】
商品選択手段２３は、自動販売機で購入できる商品を選択できる。尚、商品選択手段には、選択ボタン、テンキー、スイッチ等が挙げられる。
【００２８】
決済額送信手段２４は、複数の電子マネーを使用することができる電子マネー処理装置に、各電子マネーの決済額を送信できる。
【００２９】
演算制御部２５は、電子マネー毎割引額設定手段１１にて各電子マネーの割引額が設定された場合、電子マネー毎割引額記憶手段１２に記憶する。また、電子マネー毎割引時間帯設定手段１３にて各電子マネーの割引時間帯が設定された場合、電子マネー毎割引時間帯記憶手段１４に記憶する。また、最低決済額判定設定手段２１にて、最低決済額判定を行うか否かを設定された場合、最低決済額判定記憶手段２２に記憶する。また、商品選択手段２３にて商品が選択された場合、電子マネー毎割引実施判定手段１５にて、各電子マネーの割引を行うか否かを判定し、それに基づき各電子マネーの決済額を演算し、決済額送信手段２４にて各電子マネーの決済額を電子マネー処理装置に送信する。また、最低決済額判定記憶手段２２のデータに基づき、最低決済額判定手段１７を行うか否かを判定し、行うと判定した場合、最低決済額判定手段１７にて一番安い決済額と判定された電子マネーを表示制御手段１８、音声制御手段１９、映像制御手段２０にて顧客に知らしめる。
【００３０】
以上のように構成された自動販売機の制御装置について、以下その動作を図２のフローチャートをもとにして説明する。
【００３１】
まず、演算制御部２５は、オペレーター等が電子マネー毎割引額設定手段１１を操作しているか否かを判定する（ＳＴＥＰ１）。電子マネー毎割引額設定手段１１が操作され、各電子マネーの割引額が設定された場合、その設定されたデータを電子マネー毎割引額記憶手段１２に記憶する。（ＳＴＥＰ２）。
【００３２】
オペレーター等が電子マネー毎割引時間帯設定手段１３を操作しているか否かを判定する（ＳＴＥＰ３）。電子マネー毎割引時間帯設定手段１３が操作され、割引時間帯が設定された場合、その設定されたデータを電子マネー毎割引時間帯記憶手段１４に記憶する。（ＳＴＥＰ４）。オペレーター等が最低決済額判定設定手段２１を操作しているか否かを判定する（ＳＴＥＰ５）。最低決済額判定設定手段２１が操作され、最低決済額判定を行うか否かを設定された場合、その設定されたデータを最低決済額判定記憶手段２２に記憶する（ＳＴＥＰ６）。
【００３３】
顧客等が商品選択手段２３にて商品を選択しているか否かを判定する（ＳＴＥＰ７）。ＳＴＥＰ７にて商品が選択されている場合、電子マネー毎割引実施判定手段１５にて、電子マネー毎割引額記憶手段１２のデータに基づき、どの電子マネーを割引するかを判定する。また、電子マネー毎割引実施判定手段１５にて、時刻タイマーから呼び出す現在時刻と電子マネー毎割引時間帯記憶手段１４のデータを比較し、どの電子マネーを割引するかを判定する（ＳＴＥＰ８）。
【００３４】
ＳＴＥＰ８にて割引すると判定された電子マネーに該当する販売価格と割引額を、電子マネー毎販売価格記憶手段１６と電子マネー毎割引額記憶手段１２から導き、販売価格から割引額を減算し、それを該当の電子マネーの決済額とする（ＳＴＥＰ９）。
【００３５】
割引を行う電子マネーは、ＳＴＥＰ９にて算出した決済額を使用し、割引を行わない電子マネーは、該当する販売価格を電子マネー毎販売価格記憶手段１６から導き、それを決済額とし、決済額送信手段２４にて各電子マネーの決済額を電子マネー処理装置に送信する（ＳＴＥＰ１０）。
【００３６】
最低決済額判定記憶手段２２のデータに基づき、最低決済額判定手段１７を行うか否かを判定する（ＳＴＥＰ１１）。ＳＴＥＰ１１にて、最低決済額判定を行うと判定した場合、最低決済額判定手段１７にて一番安い決済額と判定された電子マネーを表示制御手段１８にて表示する（ＳＴＥＰ１２）。ＳＴＥＰ１１にて、最低決済額判定を行うと判定した場合、最低決済額判定手段１７にて一番安い決済額と判定された電子マネーを音声制御手段１９にて音声にて案内する（ＳＴＥＰ１３）。ＳＴＥＰ１１にて、最低決済額判定を行うと判定した場合、最低決済額判定手段１７にて一番安い決済額と判定された電子マネーを映像制御手段２０にて映像にて案内する（ＳＴＥＰ１４）。
【００３７】
以上のように本実施の形態１の自動販売機の制御装置によれば、電子マネー処理装置は、割引された販売価格にて決済するので、電子マネーの割引販売を行うことができ、販売促進が行え、また複数のマネー毎に違った割引額を設定できるため、他の電子マネーと差別化ができ、優位性を出すことができる。
【００３８】
また、キャンペーンやタイムサービスといった期間や時間にて割引を行うことができ、多様な販売促進や顧客へのアピールが行え、また複数のマネー毎に違った割引時間を設定できるため、他の電子マネーのキャンペーン等と重複を回避でき、差別化を図りやすくなる。
【００３９】
また、複数の電子マネーにて割引が実施されている場合に、一番安く買える電子マネーを顧客に知らしめることができるので、顧客に利便性やお得感をもたらせ、好印象を与えることができる。
【００４０】
また、一番安く買える電子マネーを音声にて案内することができるので、顧客に一番安く買える電子マネーをよりはっきりと知らしめることができ、顧客の利便性を向上することができる。
【００４１】
また、一番安く買える電子マネーを映像にて案内することができるので、顧客に一番安く買える電子マネーを、さらによりはっきりと知らしめることができ、顧客の利便性を向上することができる。
【００４２】
また、一番安く買える電子マネーを知らしめるか否かを、ロケーションに応じて選択することができるので、一番安く買えないが、優先して使用を促したい電子マネーがあるようなロケーションでは、他の電子マネーを表示させないことで、ロケーションに応じた販売促進ができる。
【産業上の利用可能性】
【００４３】
以上のように、本発明にかかる自動販売機の制御装置は、複数の電子マネー毎に割引に関するデータ設定を設け、電子マネーにて販売された場合、設定されたデータに基づき電子マネーでの割引を行うことで販売促進や集客能力を向上させることができるので複数の電子マネーで決済できるあらゆる自動販売機器の用途にも適用できる。
【符号の説明】
【００４４】
１１  電子マネー毎割引額設定手段
１２  電子マネー毎割引額記憶手段
１３  電子マネー毎割引時間帯設定手段
１４  電子マネー毎割引時間帯記憶手段
１５  電子マネー毎割引実施判定手段
１６  電子マネー毎販売価格記憶手段
１７  最低決済額判定手段
１８  表示制御手段
１９  音声制御手段
２０  映像制御手段
２１  最低決済額判定設定手段
２２  最低決済額判定記憶手段
２３  商品選択手段
２４  決済額送信手段
２５  演算制御部
【図１】
2012018443.tif 000003
【図２】
2012018443.tif 000004